(57)【要約】【課題】従来のトイレットペーパーの用途の外に、トイレットペーパーの中央部にへこみを設けて、人差指、ないしは親指が入る隙間をつくり、身体にハンディのある人、高齢者、幼児が簡単につまめ、引き出せることができるトイレットペーパーに関するものである。併せて使用後、常につまみ易い状態が維持でき、次に使用する人に衛生的で安心して、使ってもらうことを目的としたトイレットペーパーを提供する。【解決手段】本発明はトイレットペーパー芯を鼓型に成型し、その曲線に沿わせてトイレットペーパーを巻きつけて行き、鼓型トイレットペーパーを成型する。そのトイレットペーパーの中央部全体がくびれ、緩やかな曲線のへこみをつくり人差指あるいは親指の入る隙間を設けたことを特徴とする、すぐつまめ、使用後常につまみ易い状態を維持できる鼓型トイレットペーパー。【選択図】図３
2019072448.tif 000002
【特許請求の範囲】
【請求項１】
トイレットペーパー芯を鼓型に成型し、その曲線に沿わせてトイレットペーパーを巻きつけて行き、鼓型トイレットペーパーを成型する、そのトイレットペーパーの中央部全体がくびれ、緩やかな曲線のへこみをつくり、人差指、或いは親指の入る隙間を設けたことを特徴とする、すぐつまめる鼓型トイレットペーパー。
【発明の詳細な説明】
【技術分野】
【０００１】  本発明は、従来のトイレットペーパーの用途の外に、トイレットペーパーの中央部にへこみを設けて人差指あるいは親指が入る隙間をつくり、身体にハンディのある人  高齢者、幼児が簡単につまめ、引き出せることができるトイレットペーパーに関するものである。併せて使用後、常につまみ易い状態を維持し、次に使用する人に衛生的で安心して使ってもらうことを目的としたトイレットペーパーである。
【背景技術】
【０００２】  従来、一目でミシン目が分かるマーキング入りトイレットペーパーがあった。
（特許文献１参照）。
また、紙が引き出し易いエチケットタイプのトイレットペーパーがあった。
（特許文献２参照）。
【先行技術文献】
【特許文献】
【０００３】
【特許文献１】特開２０１２−１７９３４２号
【特許文献２】特開平１１−２３５２９２号
【発明の概要】
【発明が解決しようとする課題】
【０００４】  そのため次のような問題点があった。
従来のトイレットペーパーは、円筒形にペーパーを巻いたもので、ペーパーを裂断するとペーパー本体に貼り付いて、取りづらいという問題があった。また、目に障害のある家庭、緊急をようする職場では、ペーパーをすぐ取れるよう、三角折たたみ等工夫を凝らしているが、手間がかかり、最近ではそれは不潔と思われ始めている。
特許文献１、一目でミシン目が分かるマーキング入りトイレットペーパーは目視でミシン目を識別するものであり、ペーパー自体がつまみ易い構造ではなく不便さを感じる。
特許文献２、紙が引き出し易いエチケットタイプのトイレットペーパーは紙のミシン目を変化させることで、次に使うとき紙が引き出し易い形態になるという構造であるが、紙質使用状況によっては、ペーパーが本体に貼り付き、急ぐ時など、すぐにつまめず，ペーパーホルダーのフタを開けたり、トイレットペーパーの裂断部を探すためトイレットロールを回すなど多々不便を感じることがある。
【課題を解決するための手段】
【０００５】  上記課題を解決するため本発明は、トイレットペーパーを鼓型３に成型し、中央部にできるへこみ４の隙間８を利用し、すぐつまめることを特徴とした、新しいタイプのトイレットペパーである。
【発明の効果】
【０００６】  したがって、健常者はもとより身体にハンディのある人、特に目に障害のある人  高齢者、幼児が不自由を感じることなく、容易にペーパーをつまみ引き出すことができる
また、使用時、突然の停電でもつまみ易く、災害時の利用にも効果がある。
常にペーパーと本体との間に隙間があるため、トイレットペーパーが容易につまめる状態が維持できているので、次の使用者のために、三角折たたみをする必要もなくなり手間が軽減できる、次の使用者も衛生的で安心して使用することができる。
【図面の簡単な説明】
【０００７】
【図１】本発明の鼓型トイレットペーパー成型のためベースとなる鼓型ペーパー芯の斜視図である。
【図２】本発明の鼓型トイレットペーパーの斜視図である。
【図３】本発明の鼓型トイレットペーパーをペーパーホルダーに装着した斜視図である。
【図４】本発明のトイレットペーパー裂断端とペーパー本体にできる隙間部分の斜視図である。
【発明を実施するための形態】
【０００８】  以下、図面を参照し、本願に係る発明を実施するための形態について説明する。
図１は本発明の実施形態である鼓型トイレットペーパー３のベースとなる、鼓型トイレットペーパー芯１の斜視図、図２はそのトイレットペーパー芯１にトイレットペーパーをロール状に巻回し成型した斜視図、図３は鼓型トイレットペーパー３をペーパーホルダー５に装着した斜視図、図４はトイレットペーパー裂断端７と鼓型トイレットペーパー３本体にできる隙間８を表した斜視図である。
【０００９】  本実施形態のトイレットペーパー３は、図２に示すように、鼓型状のものでありトイレットペーパー両端から中央部に向かって緩やかな曲線のへこみ４を備える。
そのへこみ４比率はトイレットペーパー３本体両端に対し、大人の男子人差指ないしは親指の太さとする。トイレットペーパーをつまむ際に使う指で太さは親指が勝るので親指の太さのサイズに合わせるのが望ましい。
【００１０】  鼓型トイレットペーパー３はパルプを主原料とする水解性の不織布で作製されている。ここではパルプとして、木材パルプを用いる。すなわち、一般に市販されている既存のトイレットペーパーと主原料は同じである。
【００１１】  本実施形態のトイレットペーパーをトイレで使用する場合は図３に示すように既存のペーパーホルダー５に装着し、鼓型トイレットペーパー３本体のへこみ４に沿って指を進めると容易に、鼓型トイレットペーパー裂断端７に行きつまむことができる。
【００１２】  本実施形態の鼓型トイレットペーパー３は使用後、鼓型トイレットペーパー裂断端７との間に隙間８が生じるため、次に使用する人のために三角折たたみの必要がなく手間が省かれ、かつ衛生的である。
【００１３】  次に、本実施形態の鼓型トイレットペーパー３の作製方法について説明する。
初めに、鼓型トイレットペーパー芯１の作製方法について説明する。
トイレットペーパー芯はパルプからパルプ繊維を筒型形状に成型する工程で既存の材質、既存の形状と同じである。本実施形態では鼓型トイレットペーパー芯１成型のため、既存のトイレットペーパー芯を成型する際、あらかじめ規格サイズでカットする数に合わせ、トイレットペーパー芯の長手方向に鼓型を成型する。
【００１４】  次に、トイレットペーパーの作製方法について説明する。
パルプからパルプ不織布を製造する。このパルプ不織布の製造工程はパルプ繊維をシート状に成型する。エアレイド方式によりシート状のパルプ繊維を成型する。
エアレイド方式で成型されたパルプ繊維は空気を多く含む構造となり、柔軟性に優れるという利点がある。既存のトイレットペーパーの作製方法と同じである。
また、本実施形態では、ケミカルボンド法によるパルプ繊維を接着剤で繊維同士を結合させシート状に成型したパルプ繊維を使用してもよい。
【００１５】  尚、不織布製造工程においては、本実施形態では鼓型トイレットペーパー芯１に巻回のため柔軟性に優れたエアレイド方式を薦める。
【００１６】  尚、このパルプ不織布の製造工程においては、パルプ不織布の厚さは任意に調整することができるものとする。
【００１７】  鼓型トイレットペーパー芯１に、ジャンボロールから小巻きログに移行する際に鼓型ワインダーを製造し、鼓型トイレットペーパー芯１のへこみ２に合わせ加重をかけ巻回し鼓型トイレットペーパー３を製造する。
【００１８】  尚、鼓型トイレットペーパー芯１へのペーパーの巻回し加重は任意に調整することができる。
【００１９】  また、上記実施形態では、不織布の主原料となるパルプとして木材パルプ用いた場合について説明したが、再生紙を用いてもよい。
【産業上の利用可能性】
【００２０】  以上、説明したように、本発明の鼓型トイレットペーパー３は、ペーパー本体の中央部がくびれ、へこみ４があるため、隙間８が生じ、トイレットペーパー裂断端７をつまむことが容易であり、次に使用する人のために、三角折りたたみの必要もなく手間が省けなおかつ衛生的である。したがって、本発明の鼓型トイレットペーパー３は一般家庭のみならず衛生面を重視する病院、介護施設、公共施設、身体にハンディのある人、特に目に障害を持つ人、その家族、高齢者、幼児に好適である。また、緊急出動の多い、警察、消防関係者に好適である。
【符号の説明】
【００２１】１鼓型トイレットペーパー芯
２鼓型トイレットペーパー芯へこみ部分
３鼓型トイレットペーパー
４鼓型トイレットペーパーのへこみ部分
５ペーパーホルダー
６ペーパーホルダーのフタ
７鼓型トイレットペーパー裂断端
８隙間部分
【図１】
2019072448.tif 000003
【図２】
2019072448.tif 000004
【図３】
2019072448.tif 000005
【図４】
2019072448.tif 000006